(57)【特許請求の範囲】
【請求項１】
太陽電池と、太陽電池を保持するフレームとを有する太陽電池モジュールにおいて、フレームは少なくとも間隔を空けて配置される二辺を有し、太陽電池モジュールのフレームの一辺と、他の太陽電池モジュールのフレームの一辺とを隣り合うように配置して縦並び配置又は横並び配置にすることが可能であり、
太陽電池モジュールのフレームの二辺のうちの少なくとも一方には規制部があり、複数の太陽電池モジュールを縦並び配置又は横並び配置にしたとき、太陽電池モジュールの厚さ方向であって少なくともその一方側への相対移動が、規制部によって規制されるものであり、
規制部の少なくとも一部は、前記フレームのフレーム本体からの取り外しが可能であり、且つ、前記フレーム本体からの取り外しにおいて、太陽電池モジュールの受光面側となる正面側からの取り外しが可能であり、
前記二辺のそれぞれに規制部があり、規制部の一方は、突起物が形成される突起形成部であり、規制部の他方は、凹部が形成される凹部形成部であって、
複数の太陽電池モジュールを縦並び配置又は横並び配置にしたとき、前記突起物が前記凹部に嵌まり込んだ状態のまま、前記突起形成部及び前記凹部形成部を上下又は左右の太陽電池モジュールの間から引き抜くことが可能であることを特徴とする太陽電池モジュール。
【請求項２】
建屋の側面側に取り付けられた縦材及び／又は横材からなる固定部材と、請求項１に記載の太陽電池モジュールを有する太陽電池付き建屋であって、
太陽電池モジュールは、縦並び配置又は横並び配置された状態で固定部材に固定され、上下又は左右の少なくとも一方にある太陽電池モジュールのフレームの規制部が、他方の太陽電池モジュールの移動を規制していることを特徴とする太陽電池付き建屋。
【請求項３】
建屋の壁面に請求項１に記載の太陽電池モジュールを設置する太陽電池モジュールの設置方法であって、
建屋の壁面に太陽電池を固定する固定部材を設ける工程と、
少なくとも一つの太陽電池モジュールを締結要素によって固定部材に固定する工程と、
固定された太陽電池モジュールのフレームと、他の太陽電池モジュールのフレームと隣接させ、これらの太陽電池モジュールの相対移動を前記規制部によって規制した状態とする仮置き工程と、
フレームに載置された太陽電池モジュールを締結要素によって前記固定部材に固定する工程を実施することを特徴とする太陽電池モジュールの設置方法。
【発明の詳細な説明】
【技術分野】
【０００１】
本発明は、建屋の壁面に取り付ける太陽電池モジュール、そのような太陽電池モジュールを取り付けて形成される建屋、又は、そのような太陽電池モジュールを建屋に取り付けるための設置方法に関するものである。
【背景技術】
【０００２】
建屋の屋根上に太陽電池モジュールを敷き詰め、太陽光を受けて発電を実施する太陽光発電システムが知られている。このような太陽光発電システムで採用される太陽電池モジュールは、一般的に、太陽電池パネルに金属製のフレームを取り付けて形成されている。
【０００３】
このような太陽電池モジュールの一例として、特許文献１に開示されたものがある。
特許文献１に開示された太陽電池モジュールは、平板状の太陽電池パネルの周縁部分を囲むようにフレームが取り付けられている。そして、取り付けたフレームには、その上端部分に切欠き部が形成されている。この切欠き部は、フレームの一部を欠落させたような形状となっており、周囲よりも窪んだ状態となっている。これ対して、取り付けたフレームの下端部分には、平板状の耳部が設けられており、下方へ向かって突出している。
【０００４】
このため、特許文献１に開示された太陽電池モジュールを桁行方向に敷き詰めていくと、棟側に位置する太陽電池モジュールの耳部が、軒側に位置する太陽電池モジュールの切欠き部に嵌り込んだ状態となる。
すなわち、太陽電池モジュールが設置された状態では、太陽電池モジュールの棟側端部に切欠き部が位置し、軒側端部に耳部が位置することとなる。このため、桁行方向で並列する２つの太陽電池モジュールのうち、棟側に位置する太陽電池モジュールの軒側端部に形成される耳部が、軒側に位置する太陽電池モジュールの棟側端部に形成される切欠き部と重なる位置に配され、耳部が切欠き部に入り込んだ状態となる。
【０００５】
そして、耳部が切欠き部に入り込んだ状態となると、桁行方向で並列する２つの太陽電池モジュールの境界部分に段差が形成されず、平滑な平面が形成されることとなる。すなわち、特許文献１の太陽電池モジュールを屋根上に敷き詰めていくと、太陽電池モジュール同士の境界部分に段差が形成されず、この境界部分が際立って見えることがない。そのため、太陽電池モジュールを設置した屋根の外観を美しくできる。
【０００６】
つまり、特許文献１に開示された太陽電池モジュールでは、２つの太陽電池モジュールを隣接配置したとき、一方の太陽電池モジュールのフレームの縁端部分を外側に突出させ、もう一方の太陽電池モジュールのフレームの縁端部分に凹部を形成している。そして、これらを重ね合わせることにより、境界部分の段差を解消している。
【０００７】
また、このような太陽光発電システムとして、建屋の壁面に太陽電池モジュールを固定して形成されるものがある。例えば、特許文献２には、太陽電池モジュールを壁面に固定するための設置構造が開示されている。
【先行技術文献】
【特許文献】
【０００８】
【特許文献１】特開平９−２７９７９０号公報
【特許文献２】特開２０１０−９０７０１号公報
【発明の概要】
【発明が解決しようとする課題】
【０００９】
ところで、近年、高層建築物の壁面に太陽電池モジュールを固定し、太陽光発電システムを形成する場合がある。ここで、高層建築物に風が吹き付けた場合、地上よりも上空の方が風圧が強くなる。このため、高層建築物の壁面に太陽電池モジュールを固定するとき、高位置での固定作業時に風が吹いてしまうと、取り付けようとする太陽電池モジュールが強い風に煽られてしまうという問題が生じてしまう。すなわち、強風に煽られた太陽電池モジュールが不安定に動いてしまい、固定作業が困難となってしまうという問題である。
【００１０】
そこで本発明は、建築物の壁面に太陽電池モジュールを取り付ける際、固定作業を簡易化することが可能な技術を提供することを課題とする。
【課題を解決するための手段】
【００１１】
上記課題を解決するための請求項１に記載の発明は、太陽電池と、太陽電池を保持するフレームとを有する太陽電池モジュールにおいて、フレームは少なくとも間隔を空けて配置される二辺を有し、太陽電池モジュールのフレームの一辺と、他の太陽電池モジュールのフレームの一辺とを隣り合うように配置して縦並び配置又は横並び配置にすることが可能であり、太陽電池モジュールのフレームの二辺のうちの少なくとも一方には規制部があり、複数の太陽電池モジュールを縦並び配置又は横並び配置にしたとき、太陽電池モジュールの厚さ方向であって少なくともその一方側への相対移動が、規制部によって規制されるものであり、規制部の少なくとも一部は、前記フレームのフレーム本体からの取り外しが可能であり、且つ、前記フレーム本体からの取り外しにおいて、太陽電池モジュールの受光面側となる正面側からの取り外しが可能であり、前記二辺のそれぞれに規制部があり、規制部の一方は、突起物が形成される突起形成部であり、規制部の他方は、凹部が形成される凹部形成部であって、複数の太陽電池モジュールを縦並び配置又は横並び配置にしたとき、前記突起物が前記凹部に嵌まり込んだ状態のまま、前記突起形成部及び前記凹部形成部を上下又は左右の太陽電池モジュールの間から引き抜くことが可能であることを特徴とする太陽電池モジュールである。
【００１２】
本発明の太陽電池モジュールは、複数の太陽電池モジュールを縦並び配置したとき、太陽電池モジュールの厚さ方向への移動を規制する規制手段を備えた構成となっている。このため、すでに固定された太陽電池モジュールの上方又は下方に新たな太陽電池モジュールを固定しようとするとき、この新たな太陽電池モジュールが固定される前であっても、固定位置に配するだけでその移動を規制することができる。
このことから、これから新たに固定しようとする太陽電池モジュールを固定位置に配した状態で、この太陽電池モジュールが強風に煽られたとしても、その移動が規制され、不安定に動いたりすることがない。このことから太陽電池モジュールの姿勢を安定させつつ固定作業を実施できるので、固定作業の簡易化が可能となる。
【００１３】
本発明に関連する関連発明は、太陽電池と、太陽電池を保持するフレームとを有する太陽電池モジュールにおいて、フレームは少なくとも間隔を空けて配置される二辺を有し、太陽電池モジュールのフレームの一辺と、他の太陽電池モジュールのフレームの一辺とを隣り合うように配置して縦並び配置又は横並び配置にすることが可能であり、太陽電池モジュールのフレームの二辺のうちの少なくとも一方には規制部があり、複数の太陽電池モジュールを縦並び配置又は横並び配置にしたとき、太陽電池モジュールの厚さ方向であって少なくともその一方側への相対移動が、規制部によって規制されるものであり、規制部は２以上の規制部形成部材によって構成され、少なくとも１つの規制部形成部材が他の規制部形成部材から取り外し可能であり、且つ、他の規制部形成部材からの取り外しにおいて、太陽電池モジュールの受光面側となる正面側からの取り外しが可能であることを特徴とする太陽電池モジュールである。
【００１４】
この関連発明の太陽電池モジュールは、複数の太陽電池モジュールを横並び配置したとき、太陽電池モジュールの厚さ方向への移動を規制する規制手段を備えた構成となっている。
この場合もまた、太陽電池モジュールが固定される前であっても、固定位置に配するだけでその移動を規制することが可能となる。すなわち、太陽電池モジュールを新たに固定しようとするとき、太陽電池モジュールが不安定に動いたりすることがないので、固定作業の簡易化が可能となる。
【００１５】
本発明は、前記二辺のそれぞれに規制部があり、規制部の一方は、突起物が形成される突起形成部であり、規制部の他方は、凹部が形成される凹部形成部であって、複数の太陽電池モジュールを縦並び配置又は横並び配置にしたとき、前記突起物が前記凹部に嵌まり込んだ状態のまま、前記突起形成部及び前記凹部形成部を上下又は左右の太陽電池モジュールの間から引き抜くことが可能である。
また、本発明の関連発明は、規制部は凹部及び凸部であり、フレームの少なくとも一辺に凹部があり、フレームの他辺に少なくとも凸部があり、複数の太陽電池モジュールを縦並び配置又は横並び配置にしたとき、上下又は左右の太陽電池モジュールのフレームの凹部及び凸部が合致することを特徴とする、上記の太陽電池モジュールである。
【００１６】
本発明の他の関連発明は、規制部は段部であり、複数の太陽電池モジュールを縦並び配置又は横並び配置にしたとき、上下又は左右の太陽電池モジュールの段部が合致する、上記の太陽電池モジュールである。
【００１７】
太陽電池モジュールが備える規制部は、このような構成が考えられる。
【００１８】
本発明の他の関連発明は、規制部は突起であり、フレームの少なくとも一辺には平面部があり、平面部の幅方向の端部に前記突起があり、複数の太陽電池モジュールを配置にしたとき、一方の太陽電池モジュールの前記突起と他方の太陽電池モジュールのフレームの辺とが、太陽電池モジュールの厚さ方向で並列した状態となることを特徴とする、上記の太陽電池モジュールである。
【００１９】
かかる構成によると、突起を形成するだけの簡単な構造で規制部が形成可能であり、好ましい。
【００２０】
ところで、複数の太陽電池モジュールを建築物の壁面等に敷き詰めて配置して太陽光発電システムを構築し、運用すると、一部の太陽電池モジュールにメンテナンスが必要となる場合がある。このとき、複数の太陽電池モジュールのうちで一部のものだけを壁面等から取り外す必要が生じることがある。
ここで、太陽電池モジュールの移動が規制部によって規制されている場合、太陽電池モジュールを壁面等から取り外す際に取り外し作業が煩雑化しまうことが考えられる。例えば、取り外しの対象となる太陽電池モジュールが、上方に位置する太陽電池モジュールの規制部によってその移動を規制されている場合、まず上方に位置する太陽電池モジュールを取り外してから、その規制を解除し、取り外しの対象となる太陽電池モジュールを取り外す必要がある。すなわち、取り外し対象となる太陽電池モジュールだけでなく、取り外し対象となる太陽電池モジュールの付近に配される他の太陽電池モジュールも取り外す必要が生じてしまい、取り外し作業が煩雑化してしまう。
【００２１】
かかる知見に基づいて完成された上記請求項１に記載の発明は、フレームは、フレーム本体と規制部から形成されるものであり、規制部の少なくとも一部がフレーム本体から取り外し可能である。
【００２２】
かかる構成によると、フレーム本体から規制部を取り外し可能であるので、太陽電池モジュールを取り外す必要が生じたとき、取り外し対象となる太陽電池モジュールの移動を規制する規制部の取り外しが可能となる。このため、敷き詰めた複数の太陽電池モジュールの中から取り外す必要のあるものだけを取り外すことが可能となり、取り外し作業の簡易化を図ることができる。
【００２３】
また、上記関連発明は、規制部は２以上の規制部形成部材によって構成され、少なくとも１つの規制部形成部材が他の規制部形成部材から取り外し可能である。
【００２４】
かかる構成によると、規制部を構成する規制部形成部材の少なくとも１つを他の規制部形成部材から取り外し可能となっている。すなわち、規制部を分解することが可能となっており、分解によって規制部による太陽電池モジュールの移動規制を解除可能となっている。このことから、敷き詰めた複数の太陽電池モジュールの中から、所定の太陽電池モジュールを取り外す必要が生じたとき、取り外し対象となる太陽電池モジュールの移動規制を解除できる。すなわち、上記の場合と同様に、敷き詰詰めた複数の太陽電池モジュールの中から取り外す必要のあるものだけを取り外すことが可能となり、取り外し作業の簡易化を図ることができる。
【００２５】
請求項２に記載の発明は、建屋の側面側に取り付けられた縦材及び／又は横材からなる固定部材と、請求項１に記載の太陽電池モジュールを有する太陽電池付き建屋であって、太陽電池モジュールは、縦並び配置又は横並び配置された状態で固定部材に固定され、上下又は左右の少なくとも一方にある太陽電池モジュールのフレームの規制部が、他方の太陽電池モジュールの移動を規制していることを特徴とする太陽電池付き建屋である。
【００２６】
本発明の太陽電池付き建屋は、上記した太陽電池モジュールを有しており、固定作業の簡易化が可能となる。
【００２７】
請求項３に記載の発明は、建屋の壁面に請求項１に記載の太陽電池モジュールを設置する太陽電池モジュールの設置方法であって、建屋の壁面に太陽電池を固定する固定部材を設ける工程と、少なくとも一つの太陽電池モジュールを締結要素によって固定部材に固定する工程と、固定された太陽電池モジュールのフレームと、他の太陽電池モジュールのフレームと隣接させ、これらの太陽電池モジュールの相対移動を前記規制部によって規制した状態とする仮置き工程と、フレームに載置された太陽電池モジュールを締結要素によって前記固定部材に固定する工程を実施することを特徴とする太陽電池モジュールの設置方法である。
【００２８】
本発明の太陽電池モジュールの設置方法では、太陽電池モジュールの相対移動を規制部によって規制した状態とする仮置き工程を実施する。このことにより、上記したように、新たに固定しようとする太陽電池モジュールを固定位置に配するだけで、この太陽電池モジュールの移動を規制させ、不安定に動いたりすることがない状態とすることが可能となる。このことから、太陽電池モジュールの姿勢を安定させつつ、太陽電池モジュールを固定部材に固定する工程を実施可能となる。
【発明の効果】
【００２９】
本発明によると、建築物の壁面に太陽電池モジュールを取り付ける際、太陽電池モジュールを固定位置に配するだけで、その移動を規制することができる。このため、太陽電池モジュールの姿勢を安定させつつ固定作業を実施可能となり、固定作業を簡易化することができる。
【図面の簡単な説明】
【００３０】
【図１】本発明の第１実施形態に係る太陽電池付き建屋を示す斜視図である。
【図２】図１の太陽電池モジュールを示す斜視図であり、上側からみた様子を示す。
【図３】図１の太陽電池モジュールを示す斜視図であり、下側からみた様子を示す。
【図４】図１のレール部材を示す斜視図である。
【図５】図１のレール部材を示す正面図である。
【図６】高層建築物の壁面に図１の太陽電池モジュールを取り付けていく様子を示す説明図であり、壁面にレール部材を固定した状態を示す。
【図７】高層建築物の壁面に図１の太陽電池モジュールを取り付けていく様子を示す説明図であり、レール部材に太陽電池モジュールを固定する様子を示す。
【図８】高層建築物の壁面に図１の太陽電池モジュールを取り付けていく様子を示す説明図であり、すでに固定された太陽電池モジュールの上に太陽電池モジュールを載置する様子を示す。
【図９】高層建築物の壁面に図１の太陽電池モジュールを取り付けていく様子を示す説明図であり、すでに固定された太陽電池モジュールの上に太陽電池モジュールを載置した状態を示す。
【図１０】図９で示される状態において、上下方向で並列する太陽電池モジュールの境界部分を模式的に示す断面図である。
【図１１】本発明の第２実施形態に係る太陽電池モジュールを示す斜視図であり、上側からみた様子を示す。
【図１２】本発明の第２実施形態に係る太陽電池モジュールを示す斜視図であり、下側からみた様子を示す。
【図１３】第２実施形態の太陽電池モジュールを取り付けていく様子を示す説明図であり、すでに固定された太陽電池モジュールの側方に太陽電池モジュールを配置する様子を示す。
【図１４】本発明の第３実施形態に係る太陽電池モジュールを示す斜視図であり、上側からみた様子を示す。
【図１５】本発明の第３実施形態に係る太陽電池モジュールを示す斜視図であり、下側からみた様子を示す。
【図１６】本発明の第４実施形態に係る太陽電池モジュールを示す斜視図であり、上側からみた様子を示す。
【図１７】本発明の第４実施形態に係る太陽電池モジュールを示す斜視図であり、下側からみた様子を示す。
【図１８】本発明の第５実施形態に係る太陽電池モジュールを示す斜視図であり、上側からみた様子を示す。
【図１９】本発明の第５実施形態に係る太陽電池モジュールを示す斜視図であり、下側からみた様子を示す。
【図２０】本発明の第６実施形態に係る太陽電池モジュールを示す斜視図であり、上側からみた様子を示す。
【図２１】本発明の第６実施形態に係る太陽電池モジュールを縦並び配置したとき、上下方向で並列する太陽電池モジュールの境界部分を模式的に示す断面図である。
【図２２】本発明の第７実施形態に係る太陽電池モジュールを示す斜視図であり、上側からみた様子を示す。
【図２３】本発明の第７実施形態に係る太陽電池モジュールを示す側面図である。
【図２４】本発明の第７実施形態に係る太陽電池モジュールを縦並び配置したとき、上下方向で並列する太陽電池モジュールの境界部分を模式的に示す断面図である。
【図２５】本発明の第８実施形態に係る太陽電池モジュールを示す斜視図であり、上側からみた様子を示す。
【図２６】本発明の第８実施形態に係る太陽電池モジュールを示す斜視図であり、下側からみた様子を示す。
【図２７】本発明の第８実施形態に係る太陽電池モジュールを示す分解斜視図である。
【図２８】本発明の第８実施形態に係る太陽電池モジュールを取り付けていく様子を示す説明図であり、すでに固定された太陽電池モジュールの上に太陽電池モジュールを載置する様子を示す。
【図２９】本発明の第８実施形態に係る太陽電池モジュールをレール部材に固定した後、突起形成部と凹部形成部を取り外す様子を示す説明図である。
【図３０】図２９で示される状態から、上下方向で並列する太陽電池モジュールのうち、太陽電池モジュールの間に固定されていた太陽電池モジュールを取り外す様子を示す説明図である。
【図３１】本発明の第９実施形態に係る太陽電池モジュールを示す斜視図であり、上側からみた様子を示す。
【図３２】本発明の第９実施形態に係る太陽電池モジュールを取り付けていく様子を示す説明図であり、すでに固定された太陽電池モジュールの上に太陽電池モジュールを載置する様子を示す。
【図３３】本発明の第１０実施形態に係る太陽電池モジュールを示す斜視図であり、上側からみた様子を示す。
【図３４】本発明の第１０実施形態に係る太陽電池モジュールを示す斜視図であり、下側からみた様子を示す。
【図３５】本発明の第１０実施形態に係る太陽電池モジュールにおいて、溝部形成部を分離する様子を示す説明図である。
【図３６】図１とは異なる建築物に太陽電池モジュールを取り付ける様子を示す斜視図である。
【発明を実施するための形態】
【００３１】
以下、本発明の第１実施形態に係る太陽電池付き建屋１について図面を参照しつつ詳細に説明する。なお、以下の説明において、前後方向、上下方向、並びに左右方向は、特に断りのない限り図１で示される通常の設置状態を基準として説明する。
【００３２】
本実施形態の太陽電池付き建屋１は、図１で示されるように、高層建築物の壁面に太陽電池モジュール２を固定して形成されたものである。より詳細には、高層建築物の壁面にレール部材３（固定部材）を固定し、レール部材３に対して太陽電池モジュール２を固定して形成されるものである。
【００３３】
太陽電池モジュール２は、図２で示されるように、平板状の太陽電池パネル１０（太陽電池）にフレーム１１を一体に取り付けて形成されている。
【００３４】
太陽電池パネル１０は、集積型太陽電池であり、略長方形平板状に形成されている。この太陽電池パネル１０には、例えば、ガラス基板に導電膜や半導体膜を積層して形成されるような所謂薄膜型と称される太陽電池を採用してもよく、また、カバーガラスと背面ガラスの間に結晶シリコンを封入して形成されるような所謂結晶型と称される太陽電池を採用してもよい。
【００３５】
フレーム１１は、太陽電池パネル１０の縁部分を囲むように取付けられている。このフレーム１１は、太陽電池パネル１０の上端側に位置する上側部１５、下端側に位置する下側部１６、左端側に位置する左側方部１７、右端側に位置する右側方部１８によって構成されている。
【００３６】
上側部１５には、図２で示されるように、その上面から上方に向かって突出する突条部２０（規制部、凸部）が設けられている。この突条部２０は、その断面形状が略長方形状となっており、左右方向に沿って延びている。
【００３７】
より詳細に説明すると、突条部２０は、上方に向かって突出する第１立壁部２０ａと、第１立壁部２０ａと太陽電池モジュール２の厚さ方向で間隔を空けて配される第２立壁部２０ｂと、第１立壁部２０ａと第２立壁部２０ｂの上端部分同士をつなぐ平板部２０ｃとで形成されている。そして、この突条部２０は、太陽電池モジュール２の左端近傍から右端近傍に至るまで、太陽電池モジュール２の幅方向に沿って略直線状に延びた状態となっている。
【００３８】
下側部１６には、図３で示されるように、上方に窪む溝部２５（規制部、凹部）が形成されている。この溝部２５は、断面形状が略長方形状であり、太陽電池モジュール２の左端近傍から右端近傍に至るまで略直線状に延びた溝である。
【００３９】
左側方部１７と右側方部１８には、図２、図３で示されるように、平板状の耳部３０が設けられている。この耳部３０は、側方外側に突出するように形成されており、その厚さ方向が太陽電池モジュール２の厚さ方向と同じ方向となっている。
【００４０】
この耳部３０には、２つの取付用孔３１がそれぞれ上下方向で離れた位置に設けられている。この取付用孔３１は、耳部３０を厚さ方向に貫通する貫通孔となっている。
【００４１】
レール部材３は、図４で示されるように、断面形状が略「工」字状で延びる長尺状の部材となっている。すなわち、レール部材３は、離間対向する長方形平板状の第１固定用板３５及び第２固定用板３６と、その間に位置する連結板３７によって構成されている。
第１固定用板３５と第２固定用板３６は、幅方向の長さが異なっており、第１固定用板３５が第２固定用板３６よりも長くなっている。連結板３７もまた、第１固定用板３５と第２固定用板３６のそれぞれと略直交した状態となっている。
【００４２】
ここで、第１固定用板３５には、複数の固定用孔４０が設けられている。この固定用孔４０は、第１固定用板３５を厚さ方向に貫通する貫通孔となっている。この固定用孔４０は、複数設けられており、上下方向に所定間隔を空けて並列した状態となっている。より詳細に説明すると、第１固定用板３５には、図５で示されるように、幅方向の片側端部よりもやや中心よりの位置と、他方端部よりもやや中心よりの位置のそれぞれに、上下方向に固定用孔４０が並んだ貫通孔の列が形成されている。
【００４３】
第２固定用板３６には、複数のモジュール固定用孔４１が設けられている。このモジュール固定用孔４１は、第２固定用板３６を厚さ方向に貫通する貫通孔となっている。このモジュール固定用孔４１もまた、複数設けられており、上下方向に所定間隔を空けて並列した状態となっている。すなわち、第２固定用板３６には、図５で示されるように、幅方向の片側端部よりもやや中心よりの位置と、他方端部よりもやや中心よりの位置のそれぞれに、上下方向にモジュール固定用孔４１が並んだ貫通孔の列が形成されている。
【００４４】
続いて、本実施形態の太陽電池モジュール２を建築物の壁面に固定する際の手順について説明する。
【００４５】
太陽電池モジュール２の取り付けに先立って、図６で示されるように、高層建築物の壁面に対してレール部材３を固定する。すなわち、第１固定用板３５を壁面に接触させ、固定用孔４０（図５参照）にボルト等の締結要素を挿通し、壁面とレール部材３とを一体に固定する。より詳細には、レール部材３が上下方向に沿って延びた状態となるように、壁面とレール部材３とを一体に固定する。
なお、締結要素とは、ボルト、釘、鋲、ネジといった各部材、各部品を繋いだり、止めたりするものとする。
【００４６】
次に、レール部材３に対して太陽電池モジュール２を固定する。このとき、上下方向で並列する太陽電池モジュール２を下から順に取り付けていく。したがって、まず、レール部材３のうち、下方側に位置する部分に太陽電池モジュール２を固定する。
【００４７】
このとき、図７で示されるように、レール部材３の第２固定用板３６と、太陽電池モジュール２の耳部３０とを重ね合わせ、第２固定用板３６のモジュール固定用孔４１と、耳部３０の取付用孔３１に締結要素を挿通し、第２固定用板３６と耳部３０とを一体に固定する。このことにより、レール部材３と太陽電池モジュール２とを一体に固定した状態とする。
【００４８】
続いて、レール部材３に固定した太陽電池モジュール２の上側に、別の太陽電池モジュール２を固定する。
【００４９】
まず、図８、図９で示されるように、新たな太陽電池モジュール２ｂをレール部材３に対して固定する前に、この太陽電池モジュール２ｂをすでに固定した太陽電池モジュール２ａの上に載置する仮固定工程を実施する。
【００５０】
上記したように、太陽電池モジュール２のフレーム１１のうち、上側部１５に突条部２０が設けられており、下側部１６に溝部２５が設けられている（図２及び図３参照）。このため、すでに固定した太陽電池モジュール２ａの上にこれから固定する太陽電池モジュール２ｂを載置すると、図１０で示されるように、下側に位置する太陽電池モジュール２ａの突条部２０が、上側に位置する太陽電池モジュール２ｂの溝部２５に入り込んだ状態となる。
【００５１】
詳細に説明すると、突条部２０の形状は、溝部２５の内周壁の内側に形成される空間の形状と略同じ形状となっている。言い換えると、突条部２０は、溝部２５に略丁度嵌り込む形状となっている。このことから、突条部２０を溝部２５に挿入すると、突条部２０の外面と溝部２５の内周面とが密着した状態、又は、これらの間に殆ど隙間がない状態となる。
【００５２】
このことにより、上側の太陽電池モジュール２ｂは、下側の太陽電池モジュール２ａに対し、太陽電池モジュール２の厚さ方向（図１０の矢印で示される方向）での相対的な移動が規制された状態となる。つまり、上側の太陽電池モジュール２ｂが太陽電池モジュール２の厚さ方向に移動しようとしても、突条部２０に当接することにより、その移動が阻止される。このことにより、上側の太陽電池モジュール２ｂが強風に煽られたとしても、太陽電池モジュール２ｂが不安定に動いたりすることがなく、安定した状態を維持することができる。
【００５３】
上記した仮固定工程に続いて、上側に位置する太陽電池モジュール２ｂをレール部材３に対して固定する工程を実施する。そして、以下同様に、すでに固定した太陽電池モジュール２の上側に新たな太陽電池モジュール２を固定していく。
上記したように、本実施形態では、すでに固定した太陽電池モジュール２ａの上に載置した太陽電池モジュール２ｂが不安定に動いたりすることがないので、太陽電池モジュール２ｂの取付用孔３１に締結要素を挿通する作業が容易となり、太陽電池モジュール２ｂの固定作業が容易となる。
【００５４】
上記した実施形態では、太陽電池パネル１０として、所謂薄膜型と称される太陽電池や結晶型と称される太陽電池を採用した例を示したが、本発明はこれに限るものではない。本実施形態の太陽電池パネル１０として採用される太陽電池は、薄膜型や結晶型を含む各種の太陽電池を適宜選択してよい。
例えば、結晶型である結晶シリコン太陽電池の他、ＧａＡｓ等のシリコン以外の半導体基板が用いられる太陽電池、非晶質シリコン系薄膜や結晶質シリコン系薄膜のｐｉｎ接合あるいはｐｎ接合上に透明電極層が形成されたシリコン系薄膜太陽電池、ＣＩＳ，ＣＩＧＳ等の化合物半導体太陽電池、色素増感太陽電池や有機薄膜（導電性ポリマー）等の有機薄膜太陽電池のような各種の太陽電池であってもよい。
【００５５】
上記した実施形態では、上側部１５に上方に突出する突条部２０を設け、下側部１６に上方に窪んだ溝部２５を設けたが本発明はこれに限るものではない。例えば、上側部１５に下方に窪んだ溝部を設けると共に、下側部１６に下方に突出する突条部を設けた構成であってもよい。
【００５６】
続いて、上記した第１実施形態とは異なる各実施形態について、それぞれ説明する。なお、上記した第１実施形態と同様の部分については、同じ符号を付して説明を省略する。
【００５７】
第２実施形態の太陽電池モジュール５２は、図１１、図１２で示されるように、フレーム１１の上側部１５に上方へ突出する耳部３０が設けられており、下側部１６には下方へ突出する耳部３０が設けられている。そして、左側方部１７には、太陽電池モジュール５２の幅方向外側に向かって突出する突条部７０（規制部、凸部）が設けられており、右側方部１８には幅方向の中心側に向かって窪んだ状態となる溝部７５（規制部、凹部）が設けられている。
【００５８】
そして、突条部７０と溝部７５は、いずれも上下方向に沿って延びた状態となっている。すなわち、突条部７０は、断面形状が略長方形状で上下方向（縦方向）に延びており、溝部７５もまた、断面形状で上下方向に延びる溝となっている。
【００５９】
ここで、上記した第１実施形態の太陽電池モジュール２は、複数の太陽電池モジュール２を上下方向に並列させて配置していく縦並び配置が可能であるのに対し、本実施形態の太陽電池モジュール５２は、複数の太陽電池モジュール５２を左右方向に並列させて配置していく横並び配置が可能となっている。すなわち、本実施形態の太陽電池モジュール５２は、図１３で示されるように、左右方向の一端側から他方端側へ向かって順に取り付けていく際に特に好適な構造となっている。
【００６０】
次に、本実施形態の太陽電池モジュール５２を建築物の壁面に固定する際の手順について説明する。
【００６１】
まず、高層建築物の壁面に対してレール部材３固定する。このとき、レール部材３が左右方向に沿って延びた状態となるように、レール部材３を壁面に固定する。
【００６２】
そして、太陽電池モジュール５２を左右方向の一端側（図では左端側）から順に取り付けていく。すなわち、レール部材３の一端側近傍に太陽電池モジュール５２ａを固定し、固定した太陽電池モジュール５２ａの側方に太陽電池モジュール５２ｂを固定する。
【００６３】
ここでも、新たな太陽電池モジュール５２ｂを固定するとき、レール部材３に対して固定する前に、仮固定工程を実施する。本実施形態の仮固定工程では、これから固定する太陽電池モジュール５２ｂの側端部分（図では左端部分）が、すでに固定した太陽電池モジュール５２ａの側端部分（図では右端部分）と隣合うようにして配置する。より具体的には、これらが接触した状態となるように配置する。
【００６４】
すなわち、すでに固定した太陽電池モジュール５２ａの溝部７５に、新たに固定する太陽電池モジュール５２ｂの突条部７０が嵌り込んだ状態とする。このことにより、新たに固定する太陽電池モジュール５２ｂは、すでに固定した太陽電池モジュール５２ａに対し、厚さ方向での相対的な移動が制限された状態となる。すなわち、太陽電池モジュール５２ｂの厚さ方向への移動しようとしても、突条部７０が溝部７５の内壁に衝突し、その移動が阻止されることとなる。
【００６５】
そして、本実施形態においても、仮固定工程に続いて、太陽電池モジュール５２ｂをレール部材３に対して固定する工程を実施する。以下同様に、すでに固定した太陽電池モジュール５２の側方に新たな太陽電池モジュール５２を固定していく。
【００６６】
本実施形態では、左側方部１７に突条部７０を設け、右側方部１８に溝部７５を設けたが、本発明はこれに限るものではなく、左側方部１７に溝部７５を設け、右側方部１８に突条部７０を設けてもよいことは当然である。
【００６７】
上記した実施形態では、１つの突条部が１つの溝部に嵌り込むことで太陽電池モジュールの移動を規制する例を示した。しかしながら、本発明はこれに限るものではなく、突条部や溝部は複数設けてもよい。
【００６８】
第３実施形態の太陽電池モジュール１０２は、図１４で示されるように、上側部１５に３つの突条部１２０（規制部、凸部）が設けられている。
３つの突条部１２０は、いずれも上方に向かって突出しており、断面形状が略長方形状で左右方向（太陽電池モジュール１０２の幅方向）に沿って延びている。この３つの突条部１２０は、太陽電池モジュール１０２の厚さ方向で所定間隔を空けて並列するよう設けられている。
【００６９】
また、図１５で示されるように、本実施形態では、下側部１６に３つの溝部１２５（規制部、凹部）が設けられている。この溝部１２５もまた、いずれも上方に窪んでおり、断面形状が略長方形状であって、太陽電池モジュール１０２の左右方向に延びている。すなわち、３つの溝部１２５は、いずれも突条部１２０が略丁度嵌り込む形状となっている。そして、この３つの溝部１２５もまた、太陽電池モジュール１０２の厚さ方向で所定間隔を空けて並列するよう設けられている。
【００７０】
このように、突条部１２０と溝部１２５を複数ずつ設ける構成によると、それぞれ別の溝部１２５に嵌り込んだ各々の突条部１２０が太陽電池モジュール１０２の移動を阻止する。すなわち、複数個所で移動を規制することとなり、太陽電池モジュール１０２の移動をより確実に規制することが可能となる。
【００７１】
第４実施形態の太陽電池モジュール１５２は、図１６で示されるように、上側部１５に２つの突条部１７０（規制部、凸部）が設けられている。また、図１７で示されるように、下側部１６には、３つの溝部１７５が設けられている。このように、太陽電池モジュール１５２に形成する突条部１７０や溝部１７５の数は２つであってもよい。すなわち、突条部や溝部の数は１つであってもよく、２以上であってもよい。
【００７２】
上記した実施形態では、断面形状が略長方形状で延びる突条部２０を溝部２５に嵌め込んで太陽電池モジュール２の移動を規制する例を示したが、本発明はこれに限るものではない。例えば、突条部は、断面形状が略台形状であってもよく、断面形状が略半円状となっていてもよい。すなわち、突条部は、断面形状が多角形であってもよく、断面形状が円弧状の部分を有する形状であってもよい。
【００７３】
第５実施形態の太陽電池モジュール２０２では、図１８で示されるように、上側部１５に外形が略六角形状で延びる突条部２２０（規制部、凸部）が設けられている。この突条部２２０の上端側の部分には、太陽電池モジュール２０２の厚さ方向における両端部分のそれぞれに、外側に向かって下り勾配となる傾斜面２２０ａ，２２０ｂが形成されている。そして、これら傾斜面２２０ａ，２２０ｂの間には平面２２０ｃが位置した状態となっている。
【００７４】
太陽電池モジュール２０２の下側部１６には、図１９で示されるように、上方に窪む溝部２２５（規制部、凹部）が形成されている。この溝部２２５は、断面形状が略台形状であり、太陽電池モジュール２０２の左端近傍から右端近傍に至るまで略直線状に延びた溝である。すなわち、この溝部２２５は、下方に向かうにつれて溝幅が広くなる溝となっている。
【００７５】
そして、本実施形態の太陽電池モジュール２０２を縦並び配置していくとき、下側に位置する太陽電池モジュール２０２の突条部２２０の上側部分を、上側に位置する太陽電池モジュール２０２の溝部２２５に嵌め込むことが可能となっている。このとき、突条部２２０の上側部分は溝部２２５に略丁度嵌り込んだ状態となる。このことにより、太陽電池モジュール２０２の厚さ方向における相対的な移動を規制することが可能となる。
【００７６】
第６実施形態の太陽電池モジュール２５２は、図２０で示されるように、上側部１５に突条部２７０（規制部、凸部）が設けられており、この突条部２７０が上側部１５の上面から上方に向かって突出した状態となっている。そして、この突条部２７０は、断面形状が略半円状となっており、左右方向に沿って延びた状態となっている。
また、図２０では図示を省略するが、下側部１６には、上記した第１実施形態と同様に、溝部２５が設けられている。
【００７７】
そして、本実施形態の太陽電池モジュール２５２は、図２１で示されるように、縦並び配置していくときに突条部２７０を溝部２５に嵌め込むことが可能となっている。より詳細には、突条部２７０と溝部２５の内壁の間に隙間が形成された状態で、突条部２７０が溝部２５の内側に位置した状態となる。このことにより、太陽電池モジュール２５２の厚さ方向における相対的な移動を規制することが可能となる。
【００７８】
すなわち、突条部２７０を溝部２５の内部に挿入したとき、溝部２５の内側に隙間が形成される構成であってもよい。しかしながら、第１実施形態のように、突条部２０が溝部２５に丁度嵌り込む（又は略丁度嵌り込む）構成とすると、突条部２０が溝部２５から誤って外れにくくなり、太陽電池モジュール２の移動をより確実に規制することが可能となるので、好ましい。
【００７９】
上記した実施形態では、対になる突条部と溝部からなる規制部を設け、突条部を溝部に挿入する例について説明したが、本発明はこれに限るものではない。フレーム１１の上側部１５の上端部分を加工し、この上端部分の形状を突条部と同じ形状として、上側部１５の上端部分を直接溝部に挿入する構成であってもよい。すなわち、上側部１５の上端部分を溝部に嵌め込むことを可能な構成とし、上側部１５を突条部のように機能させることを可能としてもよい。
【００８０】
また、上記した第１実施形態では、上側部１５と下側部１６のそれぞれに突条部２０と溝部２５を設け、太陽電池モジュール２の突条部２０が他の太陽電池モジュール２の溝部２５に嵌り込むことを可能とする例を示した。すなわち、太陽電池モジュール２の対向する二辺のそれぞれに、外側に向かって凸となる部分と、内側に向かって窪んだ部分とを設ける例を示したが、本発明はこれに限るものではない。例えば、太陽電池モジュールの対向する二辺のそれぞれに、外側に向かって凸となる部分を設けてもよい。すなわち、以下で説明する第７実施形態のような構成であってもよい。
【００８１】
第７実施形態の太陽電池モジュール３０２では、図２２、図２３で示されるように、上側部１５に第１段部３２２（段部）を設けており、下側部１６に第２段部３２３（段部）を設けている。第１段部３２２と第２段部３２３はいずれも外側に向かって凸となる部分となっている。
【００８２】
第１段部３２２は、太陽電池パネル１０の受光面側（図２３における右側）に向かうにつれて高さが高くなっていく段部となっている。すなわち、第１段部３２２は、垂直壁面と、上方に空間が位置する水平面とが段状に連続して形成される部分であり、太陽電池パネル１０の受光面側に最も高位置にある水平面が位置した状態となっている。
【００８３】
第２段部３２３は、太陽電池パネル１０の裏面側（図２３における左側）になるにつれて、その突出長さが長くなっていく段部となっている。すなわち、第２段部３２３は、垂直壁面と、下側に空間が位置する水平面とが段状に連続して形成される部分であり、太陽電池パネル１０の裏面側に最も低位置にある水平面が位置した状態となっている。
【００８４】
このことから、太陽電池モジュール３０２の上側に他の太陽電池モジュール３０２を配すると、図２４で示されるように、下側に位置する太陽電池モジュール３０２ａの第１段部３２２と、上側に位置する太陽電池モジュール３０２ｂの第２段部３２３とが重合した状態となる。すなわち、下側に位置する第１段部３２２の各水平面と、上側に位置する第２段部３２３の各水平面とが接触し、第１段部３２２の各垂直面と第２段部３２３の各垂直面とが接触した状態となる。
【００８５】
このことから、本実施形態の太陽電池モジュール３０２を縦並び配置していくとき、すでに固定した太陽電池モジュール３０２ａの上側に太陽電池モジュール３０２ｂを配すると、太陽電池モジュール３０２ｂの受光面側への移動を規制することが可能となる。すなわち、太陽電池モジュール３０２ｂの厚さ方向のうち、受光面側へ向かう移動（図２４の右側へ向かう方向への移動）を規制することが可能となる。
【００８６】
上記した実施形態では、新たに固定する太陽電池モジュール３０２ｂを、すでに固定した太陽電池モジュール３０２ａの上側に配したとき、下側に位置する太陽電池モジュール３０２ａの第１段部３２２と、上側に位置する太陽電池モジュール３０２ｂの第２段部３２３とが密着する構成としたが本発明はこれに限るものではない。
例えば、新たに固定する太陽電池モジュール３０２ｂを、すでに固定した太陽電池モジュール３０２ａの上側に配したとき、第１段部３２２の各水平面と第２段部３２３の各水平面の間に僅かに隙間が形成されてもよく、第１段部３２２の各垂直面と第２段部３２３の各垂直面の間に僅かに隙間が形成されてもよい。すなわち、太陽電池モジュール３０２ｂが受光面側へ移動しようとしたとき、第１段部３２２と第２段部３２３とが当接し、太陽電池モジュール３０２ｂの移動が規制されればよい。
【００８７】
上記した実施形態では、フレーム１１の上側部１５と突条部２０を一体に形成し、下側部１６と溝部２５とを一体に形成した例を示した。しかしながら、本発明はこれに限るものではない。仮固定工程で太陽電池モジュールの移動を規制するための部分は、太陽電池モジュールの固定時に取り外し可能な構成であってもよい。すなわち、以下で説明する第８実施形態、第９実施形態、第１０実施形態のような構成であってもよい。
【００８８】
第８実施形態の太陽電池モジュール３５２は、図２５、図２６で示されるように、フレーム１１の上側部１５に突起形成部３７０（規制部）を取り付けており、下側部１６に凹部形成部３７５（規制部）を取り付けた構成となっている。
【００８９】
突起形成部３７０は、本体部３７１と、本体部３７１と一体に形成された取付片部３７２を備えている。
【００９０】
本体部３７１は、左右方向（太陽電池モジュール３５２の幅方向）に延びる長板状の部分である。本体部３７１の天面には、上方に丸みを帯びて凸となる半球突起３７３が複数形成されている。この半球突起３７３は、外形が略半球状の突起物となっている。
なお、図面を見易くするため一部の半球突起３７３にのみ符号を付すものとする。
【００９１】
取付片部３７２は、本体部３７１の長手方向（太陽電池モジュール３５２の幅方向）で離れた位置にそれぞれ１つずつ設けられており、いずれも本体部３７１の前面（太陽電池モジュール３５２の受光面側に位置する面）に形成された片状体を垂下折曲して形成されている。すなわち、取付片部３７２は、本体部３７１の前側に位置する垂下片であり、下方に向かって延設されている。
【００９２】
この取付片部３７２には、図２７で示されるように、取付片部３７２を厚さ方向に貫通する取付用孔３７４が設けられている。言い換えると、この取付用孔３７４は、取付片部３７２を太陽電池モジュール３５２の厚さ方向に貫通する貫通孔となっている。
【００９３】
凹部形成部３７５もまた、図２６で示されるように、本体部３７６と、本体部３７６と一体に形成された取付片部３７７を備えた構造となっている。
【００９４】
本体部３７６は、左右方向（太陽電池モジュール３５２の幅方向）に延びる長板状の部分である。本体部３７６の下面には、上方に窪んだ凹部３７８が複数形成されている。この凹部３７８は、略半球状の窪みとなっている。
なお、図面を見易くするため一部の凹部３７８にのみ符号を付すものとする。
【００９５】
取付片部３７７は、本体部３７６の長手方向（太陽電池モジュール３５２の幅方向）で離れた位置にそれぞれ１つずつ設けられており、いずれも本体部３７６の前面（太陽電池モジュール３５２の受光面側に位置する面）に形成された片状体を上方に折曲して形成されている。すなわち、取付片部３７７は、本体部３７６の前側に位置する立上片であり、上方に向かって延設されている。
【００９６】
この取付片部３７７には、図２７で示されるように、取付片部３７７を厚さ方向に貫通する取付用孔３７４が設けられている。言い換えると、この取付用孔３７４は、取付片部３７７を太陽電池モジュール３５２の厚さ方向に貫通する貫通孔となっている。
【００９７】
続いて、本実施形態の太陽電池モジュール３５２を建築物の壁面に固定する際の手順について説明する。
【００９８】
本実施形態においても、図２８で示されるように、すでに固定した太陽電池モジュール３５２ｂの上側に新たに固定する太陽電池モジュール３５２ｃを配することで、仮固定工程が可能となっている。
【００９９】
すなわち、太陽電池モジュール３５２ｂの上側に太陽電池モジュール３５２ｃを配すると、下側に位置する太陽電池モジュール３５２ｂの突起形成部３７０の上面と、上側に位置する太陽電池モジュール３５２ｃの凹部形成部３７５の下面とが接触した状態となる。
【０１００】
これにより、突起形成部３７０に形成されたそれぞれの半球突起３７３が、凹部形成部３７５に形成されたそれぞれの凹部３７８に略丁度嵌り込んだ状態となる。このことにより、上側の太陽電池モジュール３５２ｃは、太陽電池モジュール３５２の厚さ方向での移動を制限された状態となる。
【０１０１】
本実施形態では、複数の太陽電池モジュール３５２を縦並び配置して固定した後、下側に位置する太陽電池モジュール３５２の突起形成部３７０と、上側に位置する太陽電池モジュール３５２の凹部形成部３７５とを取り外し可能となっている。
【０１０２】
すなわち、太陽電池モジュール３５２が固定された状態において、正面側から突起形成部３７０を固定する締結要素と、凹部形成部３７５を固定する締結要素を取り外す。すなわち、突起形成部３７０の取付片部３７２に形成された取付用孔３７４と、凹部形成部３７５の取付片部３７７に形成された取付用孔３７４のそれぞれに挿通されていた締結要素を外した状態とする。このことにより、図２８、図２９で示されるように、突起形成部３７０と凹部形成部３７５を上下方向で並列する太陽電池モジュール３５２の間から引き抜くことが可能となり、突起形成部３７０と凹部形成部３７５を取り外すことができる。
【０１０３】
そして、突起形成部３７０と凹部形成部３７５を取り外した状態とすると、図３０で示されるように、縦並び配置された太陽電池モジュール３５２のうち、下側の太陽電池モジュール３７５ａと、上側の太陽電池モジュール３５７ｃの間に位置する太陽電池モジュール３７５ｂを取り外すことが可能となる。
【０１０４】
具体的に説明すると、複数の太陽電池モジュール３５２を縦並び配置した状態で運用すると、太陽電池モジュール３５２の一部が故障してしまうことがある。この場合、故障した太陽電池モジュール３５２だけを取り外してメンテナンスを実施すればよいが、突起形成部３７０と凹部形成部３７５が上側部１５や下側部１６から取り外せない場合、太陽電池モジュール３５２を上側から外していく必要が生じてしまう。
【０１０５】
すなわち、耳部３０の取付用孔３１とレール部材３のモジュール固定用孔４１に挿通されている締結要素を取り外し、故障した太陽電池モジュール３５２をレール部材３から取り外し可能な状態としても、故障した太陽電池モジュール３５２の突起形成部３７０と凹部形成部３７５が太陽電池モジュール３５２の動きを規制することにより、太陽電池モジュール３５２の取り外しができなくなってしまう。
そのため、縦並び配置した太陽電池モジュール３５２を上から順に取り外していき、故障した太陽電池モジュール３５２の上側に太陽電池モジュール３５２が配されていない状態としてから、故障した太陽電池モジュール３５２を取り外す必要がある。このような方法によると、最も上側に固定した太陽電池モジュール３５２が故障した場合であれば問題ないが、他の太陽電池モジュール３５２の間に固定した太陽電池モジュール３５２が故障した場合は、大変な手間である。
【０１０６】
そこで、本実施形態では、太陽電池モジュール３５２の厚さ方向（取り外し方向）の動きを規制する突起形成部３７０や凹部形成部３７５を、太陽電池モジュール３５２の固定後に取り外し可能な構成としている。このことにより、縦並び配置した太陽電池モジュール３５２のいずれの太陽電池モジュール３５２が故障した場合であっても、故障した太陽電池モジュール３５２だけをレール部材３から取り外し可能であり、メンテナンス作業等を容易に実施することが可能となる。
【０１０７】
上記した実施形態では、新たに固定する太陽電池モジュール３５２ｃを、すでに固定した太陽電池モジュール３５２ｂの上側に配したとき、下側に位置する太陽電池モジュール３５２ｂの突起形成部３７０の上面と、上側に位置する太陽電池モジュール３５２ｃの凹部形成部３７５の下面とが密着する構成としたが本発明はこれに限るものではない。
例えば、新たに固定する太陽電池モジュール３５２ｃを、すでに固定した太陽電池モジュール３５２ｂの上側に配したとき、突起形成部３７０の上面と凹部形成部３７５の下面との間に僅かに隙間が形成されてもよい。突起形成部３７０に形成された半球突起３７３の少なくとも一部が、凹部形成部３７５に形成された凹部３７８の内側に入り込み、太陽電池モジュール３５２の移動が規制されればよい。
【０１０８】
第９実施形態の太陽電池モジュール４０２は、図３１で示されるように、フレーム１１の上側部１５の前側に規制板部４２０（規制部、突起）を取り付けた構成となっている。
【０１０９】
規制板部４２０は、正面視が略長方形状となる立板状の部材である。この規制板部４２０の下端部側には、規制板部４２０を厚さ方向に貫通する貫通孔である固定用孔４２４が設けられており、長手方向の片側端部よりの位置と、他方端部よりの位置にそれぞれ１つずつ形成されている。
【０１１０】
そして、規制板部４２０は、その下端側の部分が上側部１５の前面に位置しており、上端側の部分が上側部１５の上面（平面部）よりも上方に突出している。すなわち、規制板部４２０の上側部分は、上側部１５の受光面側の端部で上方に突出する突起物となっている。
【０１１１】
本実施形態の太陽電池モジュール４０２もまた、新たに固定する太陽電池モジュール４０２ｂを、すでに固定した太陽電池モジュール４０２ａの上側に配したとき、太陽電池モジュール４０２ｂの動きを規制することが可能となっている。
すなわち、新たに固定する太陽電池モジュール４０２ｂを太陽電池モジュール４０２ａの上側に配すと、図３２で示されるように、上側の太陽電池モジュール４０２ｂの下側部１６の前方に、下側の太陽電池モジュールの４０２ａの規制板部４２０が位置した状態となる。このことにより、上側の太陽電池モジュール４０２ｂは、太陽電池モジュール４０２の厚さ方向のうち、受光面側へ向かう方向への移動が規制された状態となる。
【０１１２】
また、本実施形態においても上下方向で隣接する２つの太陽電池モジュール４０２ａ，４０２ｂの固定後に規制板部４２０を取り外し可能な構成となっている。
【０１１３】
すなわち、太陽電池モジュール４０２が固定された状態において、正面側から規制板部４２０を固定する締結要素を取り外す。すなわち、規制板部４２０の固定用孔４２４に挿通されていた締結要素を外した状態とする。このことにより、規制板部４２０を上側部１５から取り外すことが可能となる。
【０１１４】
第１０実施形態の太陽電池モジュール４５２は、図３３、図３４で示されるように、フレーム１１の上側部１５に溝部形成部４７５（規制部、凹部）が設けられ、下側部１６に突条部４７０（規制部、凸部）が設けられた構造となっている。
【０１１５】
溝部形成部４７５は、図３３で示されるように、断面形状略「凹」字状で左右方向に延びる部分であり、三方を壁面で囲まれた溝を形成している。この溝部形成部４７５は、第１形成片４７６と第２形成片４７８とを備えた構成となっており、これらを一体に固定することで形成される部分である。
【０１１６】
第１形成片４７６は、断面形状が略「Ｌ」字状で左右方向に沿って延びた長尺状の部材である。図３５で示されるように、この第１形成片４７６のうち、前端下側に位置して左右方向に延びる平面４７６ａには、締結要素を挿入可能な固定用孔４７９が設けられている。この固定用孔４７９は、長手方向の片側端部から中心側に所定距離だけ離れた位置と、他方端部から中心側に所定距離だけ離れた位置とに、それぞれ１つずつ形成されている（一方については図示を省略する）。
【０１１７】
第２形成片４７８は、面視が略長方形状となる立板状の部材である。この第２形成片４７８の下端部側には、第２形成片４７８を厚さ方向に貫通する貫通孔である固定用孔４７４が設けられている。この固定用孔４７４は、長手方向の片側端部から中心側に所定距離だけ離れた位置と、他方端部から中心側に所定距離だけ離れた位置とに、それぞれ１つずつ形成されている（一方については図示を省略する）。
【０１１８】
突条部４７０は、図３４で示されるように、下側部１６の下面から下方に向かって突出しており、断面形状が略長方形状で左右方向に沿って延びた長尺状の部分となっている。
【０１１９】
本実施形態においても、すでに固定した太陽電池モジュール４５２の上側に新たに固定する太陽電池モジュール４５２を配したとき、太陽電池モジュール４５２の動きを規制することが可能となっている。
すなわち、上側に位置する太陽電池モジュール４５２の突条部４７０を、下側に位置する太陽電池モジュール４５２の溝部形成部４７５によって形成される溝部分に挿入することにより、これらの太陽電池モジュール４５２は、互いに厚さ方向への相対移動を規制された状態となる。
【０１２０】
また、本実施形態では、隣接する２つの太陽電池モジュール４５２の固定後において、第２形成片４７８を第１形成片４７６から取り外すことにより、太陽電池モジュール４５２に対する移動の規制を解除することができる。
すなわち、太陽電池モジュール４５２が固定された状態において、図３５で示されるように、第１形成片４７６の固定用孔４７９と、第２形成片４７８の固定用孔４７４に挿通された締結要素を正面側から取り外す。このことにより、第２形成片４７８を取り外した太陽電池モジュール４５２の上側に位置する太陽電池モジュール４５２は、受光面側への移動が規制されない状態となる。すなわち、上側に位置する太陽電池モジュール４５２の取り外しが可能となる。
【０１２１】
上記した各実施形態では、高層建築物の壁面にレール部材３を固定し、このレール部材３に対して太陽電池モジュールを固定する例を示したが、本発明はこれに限るものではない。例えば、図３６で示されるように、高層建築物の壁面に予め太陽電池モジュール５０２を固定するための設置領域５０３を形成しておき、この設置領域５０３に太陽電池モジュール５０２を固定する構造であってもよい。
【０１２２】
また、太陽電池モジュール５０２を固定するときには、複数の太陽電池モジュール５０２を金具等の部材を介して一体に固定することでユニット５０５を形成し、このユニットを壁面に固定する構成であってもよい。このとき、ユニット５０５を構成する太陽電池モジュール５０２のうち、少なくとも１つの太陽電池モジュール５０２に規制部が形成されていればよい。
【０１２３】
また、太陽電池モジュール５０２を固定するときには、レール部材３を介さず、太陽電池モジュール５０２を直接壁面に固定してもよい。すなわち、太陽電池モジュール５０２に形成した耳部３０等の締結要素を挿通するための部分を直接壁面に接触させ、太陽電池モジュール５０２を固定してもよい。
【０１２４】
上記した各実施形態では、太陽電池モジュールの長辺が左右方向に沿って延び、短辺が上下方向に沿って延びるように太陽電池モジュールを固定したが、本発明はこれに限るものではない。例えば、長辺が上下方向に沿って延び、短辺が左右方向に沿って延びるように固定してもよい。
【符号の説明】
【０１２５】
１  太陽電池付き建屋
２，５２，１０２，１５２，２０２，２５２，３０２，３５２，４０２，４５２，５０２  太陽電池モジュール
３  レール部材（固定部材）
１０  太陽電池パネル（太陽電池）
１１  フレーム
２０，７０，１２０，１７０，２２０，２７０，４７０  突条部（規制部、凸部）
２５，７５，１２５，１７５，２２５  溝部（規制部、凹部）
３２２  第１段部（段部）
３２３  第２段部（段部）
３７０  突起形成部（規制部）
３７５  凹部形成部（規制部）
４２０  規制板部（規制部、突起）
４７５  溝部形成部（規制部、凹部）
【図１】
0006480675.tif 000002
【図２】
0006480675.tif 000003
【図３】
0006480675.tif 000004
【図４】
0006480675.tif 000005
【図５】
0006480675.tif 000006
【図６】
0006480675.tif 000007
【図７】
0006480675.tif 000008
【図８】
0006480675.tif 000009
【図９】
0006480675.tif 000010
【図１０】
0006480675.tif 000011
【図１１】
0006480675.tif 000012
【図１２】
0006480675.tif 000013
【図１３】
0006480675.tif 000014
【図１４】
0006480675.tif 000015
【図１５】
0006480675.tif 000016
【図１６】
0006480675.tif 000017
【図１７】
0006480675.tif 000018
【図１８】
0006480675.tif 000019
【図１９】
0006480675.tif 000020
【図２０】
0006480675.tif 000021
【図２１】
0006480675.tif 000022
【図２２】
0006480675.tif 000023
【図２３】
0006480675.tif 000024
【図２４】
0006480675.tif 000025
【図２５】
0006480675.tif 000026
【図２６】
0006480675.tif 000027
【図２７】
0006480675.tif 000028
【図２８】
0006480675.tif 000029
【図２９】
0006480675.tif 000030
【図３０】
0006480675.tif 000031
【図３１】
0006480675.tif 000032
【図３２】
0006480675.tif 000033
【図３３】
0006480675.tif 000034
【図３４】
0006480675.tif 000035
【図３５】
0006480675.tif 000036
【図３６】
0006480675.tif 000037